(57)【要約】      （修正有）【課題】治療台の指圧棒に超伝導体及び遠赤外線放射物質が付着されていて指圧棒の発熱時間が短縮され、遠赤外線が大量放出されて治療効果を向上させる温熱治療陶磁及びこれを利用した温熱治療器を提供する。【解決手段】上部に超伝導体及び遠赤外線放射物質３１１が付着した複数個の指圧棒３１０が突出され、上部に向けて撓む曲線状に形成された陶磁両側面に取手３０３，３０４が形成される温熱治療陶磁１１０，１１０′、さらに、温熱治療陶磁１１０，１１０′で構成される温熱治療器。【選択図】    図１３
2004148097.tif 000002
【特許請求の範囲】
【請求項１】
温熱治療用治療陶磁において、
上部に超伝導体及び遠赤外線放射物質（３１１）が付着した複数個の指圧棒（３１０）が突出し、その中間部（３０２）が凹み、両端部（３０５）が身体（背中又は腹部）に完全に当接するように一定角度で上部に撓む曲線状に陶磁（３０１）が配される、
前記陶磁（３０１）の両側面上端に形成された取手（３０３，３０４）と；前記陶磁（３０１）の上端面一側に形成されたデジタル温度表示窓（３０８）と；前記温度表示窓（３０８）と隣合う上・下温度調節ボタン（３０９，３０９′）と；前記上・下湿度調節ボタン（３０９，３０９′）間に形成されたトグル式ＯＮ／ＯＦＦボタン（３０６）と；前記陶磁（３０１）の一側面に形成され、前記取手（３０３）の下部に電源供給線（３０７）が配されたことを特徴とする温熱治療用治療陶磁。
【請求項２】
両側面に取手（３０３，３０４）が形成され、上端面一側にデジタル温度表示窓（３０８）が設けられ、前記温度表示窓（３０８）に隣合い、上・下温度調節ボタン（３０９，３０９′）とトグル式ＯＮ／ＯＦＦボタン（３０６）とが設置され、前記取手（３０３）の下部に電源供給線（３０７）が配され、上部に超伝導体及び遠赤外線放射物質（３１１）が付着した複数個の指圧棒（３１０）が突出し、その中間部（３０２）が凹み、両端部（３０５）が身体（背中又は腹部）に完全に当接するように一定角度で上部に向けて撓む曲線状に形成された治療陶磁（３０１）；及び温熱治療器（４００）を含めて構成され、
前記温熱治療器（４００）は、
ａ）収容空間が形成された上、下部本体（Ａ，Ｂ）と；
ｂ）上・下部本体（Ａ，Ｂ）が当接する側部の一側に形成され各構成要素等を制御するコントロールボックス（Ｃ，Ｃ′）と；
ｃ）前記コントロールボックス（Ｃ，Ｃ′）の上部に蝶番（Ｉ）で連結された開閉式“コ”字状の板構造で形成されＡ／Ｓを容易にし、治療陶磁の電源供給線が連結されるコントロール板（Ｄ，Ｄ′）と；
ｄ）前記上、下部本体（Ａ，Ｂ）の下部中央一側に配されたモータ（Ｅ，Ｅ′）と；
ｅ）前記モータ（Ｅ，Ｅ′）と対向する側部に形成されたプーリ（Ｆ，Ｆ′）と；
ｆ）前記モータ（Ｅ，Ｅ′）とプーリ（Ｆ，Ｆ′）間に患者の脊椎部位に対応するように両側に配された上、下部レール（１０ａ，１０ｂ，１０′ａ，１０′ｂ）と；
ｇ）前記モータ（Ｅ，Ｅ′）とプーリ（Ｆ，Ｆ′）に直結され前記両側の上・下部レール（１０ａ，１０ｂ，１０′ａ，１０′ｂ）間の中央に位置する下部に突起が形成されたタイミングベルト（２，２′）と；
ｈ）前記タイミングベルト（２，２′）と結合して前記上・下部レール（１０ａ，１０ｂ，１０′ａ，１０′ｂ）に配される複数個の温熱治療陶磁（１１０，１１０′，２１１，２１１′）が形成された上・下部移動体（Ｇ，Ｈ）と；
ｉ）前記上部本体（Ａ）に形成され、前記上部レール（１０ａ，１０ｂ）の左右側に形成された患者の両腕を指圧治療するように構成された温熱治療陶磁（３，４）で構成されることを特徴とする温熱治療陶磁を利用した温熱治療器。
【請求項３】
前記上部レール（１０ａ，１０ｂ）は上部に複数個のネジ孔（１２）が形成されたレール（１１）と；前記レール（１１）の上部にネジ（１３）が結合される複数個のネジ孔（１４）が形成され、一定間隔で構成された複数個の着脱式屈曲レール板（１５）とで構成されたことを特徴とする請求項２記載の温熱治療陶磁を利用した温熱治療器。
【請求項４】
前記上部移動体（Ｇ）は、中央に形成された張力調節機（Ｉ）が内蔵された移動本体（１００）と；前記移動本体（１００）に形成された２対のリンク台（１０８・１０８′）の一側に形成された締結部（１０７）に結着される一側面に、上側方向に突起（１１１）が形成された締結部（１１２）と；両側面に１対のローラ（１１３）が配された温熱治療陶磁（１１０・１１０′）で構成され、前記移動本体（１００）は上部の中央に一字状の締結溝（１０２）と１対のネジ溝（１０３）が形成された四角形状の本体（１０１）と；前記本体（１０１）の締結溝（１０２）の上部に結合され、タイミングベルト（２）の張力を調節する張力調節機（Ｉ）と；前記本体（１０１）の両側面に形成された２対のヒンジ（１０４，１０４′）と；前記ヒンジ（１０４，１０４′）に挿入され、両側の端部に通孔（１０５）（１０６）が形成された締結部（１０７）が構成されたリンク台（１０８，１０８′）と；前記ヒンジ（１０４，１０４′）に結合され、前記リンク台（１０８，１０８′）の外側に形成されるローラ（１０９，１０９′）とで構成されたことを特徴とする請求項２記載の温熱治療陶磁を利用した温熱治療器。
【請求項５】
前記張力調節機（Ｉ）は、四角形状の本体（１０１）上部の中央一側に結合される下部張力調節板（１３１）と；前記下部張力調節板（１３１）の一側に、上側方向に突出した張力調節のためのネジ孔（１３３）が形成された上部張力調節板（１３２）と；前記下部張力調節板（１３１）の外側部の中央に形成され、タイミングベルト（２）を結着するベルト締結溝（１３４）と；前記ベルト締結溝（１３４）の両側部に形成された複数個の固定溝（１３５）と；前記固定溝（１３５）と隣合い、前記本体（１０１）に結合された１対のネジ溝（１０３）に対応してネジ（１３７）で結合される一字状の移動通孔と；前記固定溝（１３５）の上部にネジ（１３８）で結合される複数個の通孔（１３９）が形成されたタイミングベルト（２）の離脱防止用上部固定板（１４０）で構成された第１張力調節装置（１３０）と；
前記第１張力調節装置（１３０）と対向する反対側部に形成される第１張力調節装置（１３０）と同一な形態の構造で形成された第２張力調節装置（１３０′）と；前記第１張力調節装置（１３０）と第２張力調節装置（１３０′）に形成されたネジ孔（１３３・１３３′）に結合され張力を調節する張力調節ネジ（１４１）で構成されたことを特徴とする請求項４記載の温熱治療陶磁を利用した温熱治療器。
【請求項６】
前記下部移動体（Ｈ）は前記上部移動体（Ｇ）の移動本体（１００）と同一な構造の移動本体（１００′）と；前記移動本体（１００′）のリンク台（１０８）に形成された締結部（１０７）に結合される上側面部が上側方向に一定の長さ程突出した長方形状のブラケット（２００）と；前記ブラケット（２００）の下側面に形成された１対のローラ（２０１）と；前記ブラケット（２００）の上部面の両側部に一字状に配列、形成された複数個のネジ溝（２２２）と；前記ネジ溝（２２２）の上部に結合されＴ状溝（２０３）を形成し、前記ネジ溝（２０２）にネジ（２０４）で結合される通孔（２０５）が形成された“Ｌ”字状のレール（２０６，２０６′）と；前記レール（２０６，２０６′）間に形成されたＴ状溝（２０３）に挿入され締結される中央部に一字状の一配列により複数個の通孔（２０７）が形成されたＴ溝条（２０８）と；前記Ｔ溝条（２０８）の上部に形成され、前記通孔（２０７）に対応するように複数個のネジ溝（２０９）が形成され、ネジ（２１０）で結合される温熱治療陶磁（２１１）で構成されたことを特徴とする請求項２記載の温熱治療陶磁を利用した温熱治療器。
【請求項７】
前記上、下部移動体（Ｇ，Ｈ）の温熱治療陶磁（１１０，１１０′，２１１，２１１′）は、上部に超伝導体及び遠赤外線放射物質（３１１）が付着した複数個の指圧棒（３１０）が突出しており、身体（背中又は腹部）に完全に当接するように一定角度で上部に向けて撓む曲線状に形成されたことを特徴とする請求項２記載の温熱治療陶磁を利用した温熱治療器。
【請求項８】
前記上部レール（１０ａ，１０ｂ）の左右側に配される温熱治療陶磁（３，４）は、上部に超伝導体及び遠赤外線放射物質（３１１）が付着した複数個の指圧捧（３１０）が突出しており、身体（背中又は腹部）に完全に当接するように一定角度で上部に向けて撓む曲線状に形成されたことを特徴とする請求項２記載の温熱治療陶磁を利用した温熱治療器。
【発明の詳細な説明】
【０００１】
【発明が属する技術分野】
本発明は温熱治療陶磁より発散する高熱と遠赤外線を利用して患者の患部を指圧、湿布して各種疾病を予防及び治療する温熱治療陶磁及びこれを利用した温熱治療器に関する。
これは特に、上部に超伝導体及び遠赤外線放射物質が付着した複数個の指圧棒が突出し、上部へ向けて撓み曲線状に形成される陶磁の両側面に取手が形成される温熱治療陶磁を提供することを特徴とする。
【０００２】
さらに、上・下部本体と；前記上・下部本体が当接しながらこれを制御するコントロールボックスの上部に連結されたコントロール上板と；前記上・下部本体の下部に設置されたモータと；前記モータと対向するように設置されたプーリと；前記モータとプーリ間に設置される上・下部レールと；前記モータとプーリに直結されながら上・下部レール間に配されたタイミングベルトと；前記タイミングベルトと結合しながら上・下部レールに配され、複数個の温熱治療陶磁が設置された上・下部移動体と；前記上部レールの左右側に形成される温熱治療陶磁で構成される温熱治療器を提供することを特徴とする。
これにより、指圧棒に超伝導体及び遠赤外線放射物質が付着していて指圧棒の発熱時間が短縮され、遠赤外線が大量に放出されて治療効果を向上させるようになる。
【０００３】
【従来の技術】
一般的に人間の身体には複数の経穴等が存在しており、前記経穴点を指圧又はマッサージをすることにより、圧迫部位の細胞より防御力が発生するようになり熱を発散し、この際老廃物が抜け出しながら経穴点が開いて治療を可能にし民間療法を通じて発展している。
前記の方法を利用する物理治療機には大別してヘリウムランプ、赤外線ランプ等を利用して使用者の患部を加圧、湿布する温熱治療器と、高周波ランプを利用した高周波治療器等が広く知られている。
このような治療器を使用するには、治療器を使用者の脊椎節の経穴に正確に当て、一定時間が経過すると次の脊椎節に移動させて使用している。しかしながら、このような治療方法は使用者が直接脊椎に当てた後、一定時間が経過すると使用者が直接次の脊椎節に移動させるために、挙動が不便な患者には使用が不便であった。
さらに、多くの使用者は脊椎節の経穴に治療器を正確に当てることができず、温熱治療器を効果的に使用することができなかった問題点があった。
【０００４】
このような問題点を認識した温熱治療器の発熱陶磁が大韓民国登録実用新案公報登録番号２０−０２０１７９８号に図示されており、これは遠赤外線が放出される物質と複数個の指圧具とを一体に形成し、本体の底面に熱線を等間隔で配列して指圧具の底面の凹部には稠密に配列される構成でなされる。
さらに、同公報登録番号２０−０１７０８０号には側面中間部位を凹ませて取手部分を形成し、使用者の手で掴み身体のどの部位でも付着させ使用できるようにする構成で、身体全部分の治療を可能にする温熱治療器の治療陶磁が開示されている。
しかしながら、前記のような従来の技術等は温熱治療器の治療陶磁が身体全体の治療が不可能なため、患部を湿布すると共に指圧がなされない等の問題点があった。
【０００５】
一方、前記のような温熱治療陶磁を用いる温熱治療器は、温熱治療陶磁より発散する高熱と遠赤外線を利用して患者の脊椎節を指圧及び湿布して各種の疾病を予防し治療する物理治療器として、温熱治療陶磁が直線往復運動及び上下作動しながら患者の脊椎部位の経穴を指圧及び湿布するようになる。
一般的な温熱治療用ベッドは図１及び図２の通り、本体（１＊）がマット状に成され、正逆モータ（２＊）の駆動によりチェーン（３＊）が作動して複数個設置された移動体（４＊）がレール（５＊）に乗せられ、直線往復運動し、温熱治療陶磁（１０＊）が配された移動板（６＊）が複数個設置された移動体（４＊）の上側に装着され、移動体（４＊）が直線往復運動する時、屈曲レール（７＊）に乗り昇下降するように構成される。
【０００６】
前記のような従来の温熱治療用ベッドは、患者の上半身が置かれる本体マット（１００＊）と患者の下半身が置かれる補助マット（１０１＊）とで成され、本体上に所定厚さのスポンジが置かれる一方外部に布と革シートを被せて製作され、マットの上に患者が横たわった状態でリモコンで温熱治療陶磁と正逆モータを作動させると、温熱治療陶磁が直線往復運動及び昇下降しながら患者の頸椎、胸椎、腰椎等の経穴を指圧、湿布するようになる。
前記で温熱治療陶磁が直線往復運動及び昇下降することにより、マットの上に横たわっている患者の脊椎の屈曲に沿って上下作動し、脊椎部位の経穴を指圧するようになり、また、温熱治療陶磁より発散する光熱と遠赤外線で患者の経穴部位を湿布治療するようになる。
しかしながら、前記のような従来の温熱治療用ベッドは治療効果を高めようと正逆モータの駆動で直線往復運動する移動体を複数個設置し、前記の移動体上に複数個の温熱治療陶磁を設置し、患者の患部を指圧、湿布する構造にして、指圧、湿布する効果を高めようと複数個の温熱治療陶磁を設置するために、複数個の移動体が設置されるので、作動過程がスムーズで無く生産性が落ちる一方コストが上昇する等の問題点があった。
【０００７】
前記のような問題点を解消するために、大韓民国登録実用新案公報２０−０２８８２２４号は、正逆モータの駆動により、直線往復運動をする一つの移動体にヒンジ軸とリンク台で回転するブラケットを両側に設置し、前記両側のブラケットに一対の温熱治療陶磁を設置し、経穴部位の指圧、湿布の効果を高める一方、移動体と温熱治療陶磁の作動過程をスムーズにし、生産性を向上させ、コストを安価にするように構成された温熱治療陶磁の上下作動装置に関して開示されている。
しかしながら、前記温熱治療器の上下作動装置もやはり患者の体型及び患部に伴う指圧、湿布の強度を調節することができず、下部マットに構成された移動体に結合された温熱治療陶磁は両足の動きによって移動することができず、湿布、温熱効果が減少するようになり、装置が故障した場合修理するためには装置を分解しなくてはならない等の不便があった。
【０００８】
【特許文献１】
大韓民国登録実用新案２０−０２０１７９８号公報
【特許文献２】
大韓民国登録実用新案２０−０１７０８０号公報
【特許文献３】
大韓民国登録実用新案２０−０２８８２２４号公報
【０００９】
【発明が解決しようとする課題】
前記のような問題点を改善するための本発明の目的は、温熱治療器として使用者の患部を湿布すると共に指圧されるようにし、身体のどの部位に当てても使用できるようにし、これにより治療効果を極大化するようにし、身体の全部分に広範囲に使用できるようにした温熱治療器用治療陶磁を提供するところにある。
さらに、患者の体型及び患部に伴う指圧温熱治療の強度調節が可能にし、患者毎に相異した身体構造に伴う温熱湿布効果が減少する問題点を解決するようにする温熱治療器を提供するところにある。
【００１０】
【課題を解決するための手段】
本発明の温熱治療陶磁及びこれを利用した温熱治療器は、以下に述べる特徴を有する。
【００１１】
温熱治療用治療陶磁において、
上部に超伝導体及び遠赤外線放射物質（３１１）が付着した複数個の指圧棒（３１０）が突出し、その中間部（３０２）が凹み、両端部（３０５）が身体（背中又は腹部）に完全に当接するように一定角度で上部に撓む曲線状に陶磁（３０１）が配される、
前記陶磁（３０１）の両側面上端に形成された取手（３０３，３０４）と；前記陶磁（３０１）の上端面一側に形成されたデジタル温度表示窓（３０８）と；前記温度表示窓（３０８）と隣合う上・下温度調節ボタン（３０９，３０９′）と；前記上・下湿度調節ボタン（３０９，３０９′）間に形成されたトグル式ＯＮ／ＯＦＦボタン（３０６）と；前記陶磁（３０１）の一側面に形成され、前記取手（３０３）の下部に電源供給線（３０７）が配されたことを特徴とする。
【００１２】
また、温熱治療陶磁を利用した温熱治療器において、
両側面に取手（３０３，３０４）が形成され、上端面一側にデジタル温度表示窓（３０８）が設けられ、前記温度表示窓（３０８）に隣合い、上・下温度調節ボタン（３０９，３０９′）とトグル式ＯＮ／ＯＦＦボタン（３０６）とが設置され、前記取手（３０３）の下部に電源供給線（３０７）が配され、上部に超伝導体及び遠赤外線放射物質（３１１）が付着した複数個の指圧棒（３１０）が突出し、その中間部（３０２）が凹み、両端部（３０５）が身体（背中又は腹部）に完全に当接するように一定角度で上部に向けて撓む曲線状に形成された治療陶磁（３０１）；及び温熱治療器（４００）を含めて構成され、
前記温熱治療器（４００）は、
ａ）収容空間が形成された上、下部本体（Ａ，Ｂ）と；
ｂ）上・下部本体（Ａ，Ｂ）が当接する側部の一側に形成され各構成要素等を制御するコントロールボックス（Ｃ，Ｃ′）と；
ｃ）前記コントロールボックス（Ｃ，Ｃ′）の上部に蝶番（Ｉ）で連結された開閉式“コ”字状の板構造で形成されＡ／Ｓを容易にし、治療陶磁の電源供給線が連結されるコントロール板（Ｄ，Ｄ′）と；
ｄ）前記上、下部本体（Ａ，Ｂ）の下部中央一側に配されたモータ（Ｅ，Ｅ′）と；
ｅ）前記モータ（Ｅ，Ｅ′）と対向する側部に形成されたプーリ（Ｆ，Ｆ′）と；
ｆ）前記モータ（Ｅ，Ｅ′）とプーリ（Ｆ，Ｆ′）間に患者の脊椎部位に対応するように両側に配された上、下部レール（１０ａ，１０ｂ，１０′ａ，１０′ｂ）と；
ｇ）前記モータ（Ｅ，Ｅ′）とプーリ（Ｆ，Ｆ′）に直結され前記両側の上・下部レール（１０ａ，１０ｂ，１０′ａ，１０′ｂ）間の中央に位置する下部に突起が形成されたタイミングベルト（２，２′）と；
ｈ）前記タイミングベルト（２，２′）と結合して前記上・下部レール（１０ａ，１０ｂ，１０′ａ，１０′ｂ）に配される複数個の温熱治療陶磁（１１０，１１０′，２１１，２１１′）が形成された上・下部移動体（Ｇ，Ｈ）と；
ｉ）前記上部本体（Ａ）に形成され、前記上部レール（１０ａ，１０ｂ）の左右側に形成された患者の両腕を指圧治療するように構成された温熱治療陶磁（３，４）で構成されることを特徴とする。
【００１３】
またさらに、温熱治療陶磁を利用した温熱治療器において、
前記上部レール（１０ａ，１０ｂ）は上部に複数個のネジ孔（１２）が形成されたレール（１１）と；前記レール（１１）の上部にネジ（１３）結合される複数個のネジ孔（１４）が形成され、一定間隔で構成された複数個の着脱式屈曲レール板（１５）とで構成されたことを特徴とする。
【００１４】
またさらに、温熱治療陶磁を利用した温熱治療器において、
前記上部移動体（Ｇ）は、中央に形成された張力調節機（Ｉ）が内蔵された移動本体（１００）と；前記移動本体（１００）に形成された２対のリンク台（１０８・１０８′）の一側に形成された締結部（１０７）に結着される一側面に、上側方向に突起（１１１）が形成締結部（１１２）と；両側面に１対のローラ（１１３）が配された温熱治療陶磁（１１０・１１０′）で構成され、前記移動本体（１００）は上部の中央に一字状の締結溝（１０２）と１対のネジ溝（１０３）が形成された四角形状の本体（１０１）と；前記本体（１０１）の締結溝（１０２）の上部に結合され、タイミングベルト（２）の張力を調節する張力調節機（Ｉ）と；前記本体（１０１）の両側面に形成された２対のヒンジ（１０４，１０４′）と；前記ヒンジ（１０４，１０４′）に挿入され、両側の端部に通孔（１０５）（１０６）が形成された締結部（１０７）が構成されたリンク台（１０８，１０８′）と；前記ヒンジ（１０４，１０４′）に結合され、前記リンク台（１０８，１０８′）の外側に形成されるローラ（１０９，１０９′）とで構成されたことを特徴とする。
【００１５】
さらに、温熱治療陶磁を利用した温熱治療器において、
前記張力調節機（Ｉ）は、四角形状の本体（１０１）上部の中央一側に結合される下部張力調節板（１３１）と；前記下部張力調節板（１３１）の一側に、上側方向に突出した張力調節のためのネジ孔（１３３）が形成された上部張力調節板（１３２）と；前記下部張力調節板（１３１）の外側部の中央に形成され、タイミングベルト（２）を結着するベルト締結溝（１３４）と；前記ベルト締結溝（１３４）の両側部に形成された複数個の固定溝（１３５）と；前記固定溝（１３５）と隣合い、前記本体（１０１）に結合された１対のネジ溝（１０３）に対応してネジ（１３７）で結合される一字状の移動通孔と；前記固定溝（１３５）の上部にネジ（１３８）で結合される複数個の通孔（１３９）が形成されたタイミングベルト（２）の離脱防止用上部固定板（１４０）で構成された第１張力調節装置（１３０）と；
前記第１張力調節装置（１３０）と対向する反対側部に形成される第１張力調節装置（１３０）と同一な形態の構造で形成された第２張力調節装置（１３０′）と；前記第１張力調節装置（１３０）と第２張力調節装置（１３０′）に形成されたネジ孔（１３３・１３３′）に結合され張力を調節する張力調節ネジ（１４１）で構成されたことを特徴とする。
【００１６】
さらに、温熱治療陶磁を利用した温熱治療器において、
前記下部移動体（Ｈ）は前記上部移動体（Ｇ）の移動本体（１００）と同一な構造の移動本体（１００′）と；前記移動本体（１００′）のリンク台（１０８）に形成された締結部（１０７）に結合される上側面部が上側方向に一定の長さ程突出した長方形状のブラケット（２００）と；前記ブラケット（２００）の下側面に形成された１対のローラ（２０１）と；前記ブラケット（２００）の上部面の両側部に一字状に配列、形成された複数個のネジ溝（２２２）と；前記ネジ溝（２２２）の上部に結合されＴ状溝（２０３）を形成し、前記ネジ溝（２０２）にネジ（２０４）で結合される通孔（２０５）が形成された“Ｌ”字状のレール（２０６，２０６′）と；前記レール（２０６，２０６′）間に形成されたＴ状溝（２０３）に挿入され締結される中央部に一字状の一配列により複数個の通孔（２０７）が形成されたＴ溝条（２０８）と；前記Ｔ溝条（２０８）の上部に形成され、前記通孔（２０７）に対応するように複数個のネジ溝（２０９）が形成され、ネジ（２１０）で結合される温熱治療陶磁（２１１）で構成されたことを特徴とする。
【００１７】
さらに、温熱治療陶磁を利用した温熱治療器において、
前記上、下部移動体（Ｇ，Ｈ）の温熱治療陶磁（１１０，１１０′，２１１，２１１′）は、上部に超伝導体及び遠赤外線放射物質（３１１）が付着した複数個の指圧棒（３１０）が突出しており、身体（背中又は腹部）に完全に当接するように一定角度で上部に向けて撓む曲線状に形成されたことを特徴とする。
【００１８】
さらに、温熱治療陶磁を利用した温熱治療器において、
前記上部レール（１０ａ，１０ｂ）の左右側に配される温熱治療陶磁（３，４）は、上部に超伝導体及び遠赤外線放射物質（３１１）が付着した複数個の指圧捧（３１０）が突出しており、身体（背中又は腹部）に完全に当接するように一定角度で上部に向けて撓む曲線状に形成されたことを特徴とする。
【００１９】
【発明の実施の形態】
前記の目的を達成するための本発明は、上部に超伝導体及び遠赤外線放射物質が付着した複数個の指圧棒が突出し、中間部が凹み、両端部が身体に完全に当接するように一定角度で上部へ撓む曲線状陶磁と；
前記陶磁の両側面上端に形成された取手と；
前記陶磁の上端面の一側に形成されたデジタル温度表示窓と；
前記温度表示窓に隣合うボタン式、上・下温度調節ボタンと；
前記上・下温度調節ボタン間に形成されたトグル式ＯＮ／ＯＦＦボタンと；
前記陶磁の一側面に形成され、前記取手の下部に形成された電源供給線で構成された温熱治療用治療陶磁が提供される。
【００２０】
さらに、温熱治療陶磁と温熱治療器を含み、前記温熱治療器が上・下部本体と；前記上・下部本体が当接する側部の一側に形成され各構成要素等を制御するコントロールボックスと；前記コントロールボックスの上部に蝶番で連結された開閉式“コ”状の板構造で形成され、Ａ／Ｓを容易にするコントロール上板と；前記上・下部本体の下部中央一側に設けられたモータと；前記モータと対向する側部に形成されたプーリと；
前記モータとプーリ間に患者の脊椎部位に対応するように両側に設けられる上・下部レールと；前記モータとプーリに直結され前記両側の上・下部レール間の中央に位置する下部に突起が形成されたタイミングベルトと；前記タイミングベルトと結合され、前記上・下部レールに配される複数個の温熱治療陶磁が形成された上・下部移動体と；前記上部本体に形成され、前記上部レールの左右側に形成された患者の両腕を指圧、温熱治療するように構成された温熱治療陶磁と；前記温熱治療陶磁により、背中の部分を指圧する患者の上部面を指圧するように設けられる携帯用温熱治療陶磁を含む温熱治療陶磁を利用した温熱治療器が提供される。
【００２１】
以下、添付した図面により詳細に説明すれば次の通りである。
本発明の温熱治療陶磁（３０１）は図１乃至図３に示した通り、中間部（３０２）、取手（３０３，３０４）、両端部（３０５）、ＯＮ／ＯＦＦボタン、電源供給線（３０７）温度表示窓（３０８）、上・下温度調節ボタン（３０９，３０９′）、指圧棒（３１０）、超伝導体及び遠赤外線放射物質（３１１）が配されたものであることが分かる。
本発明の構造を察すれば前記陶磁（３０１）は、上部に超伝導体及び遠赤外線放射物質（３１１）が付着した複数個の指圧棒（３１０）が突出しており、その中間部（３０２）が凹んでいて、両端部（３０５）が身体（背中又は腹部）に完全に当接するように一定角度で上部に向けて撓む曲線状に成される。
【００２２】
さらに、前記陶磁（３０１）の両側面上端に取手（３０３，３０４）がそれぞれ形成され、前記陶磁（３０１）の上端面の一側にデジタル温度表示窓（３０８）が設けられ、前記温度表示窓（３０８）の一側にボタン式上・下温度調節ボタン（３０９，３０９′）が設けられる。
さらに、前記上・下温度調節ボタン（３０９，３０９′）間に形成されたトグル式ＯＮ／ＯＦＦボタン（３０６）が配され、前記陶磁（３０１）の一側面、つまり前記取手（３０３）の下部に電源供給線（３０７）が引出される。
【００２３】
前記のように、構成された本発明の使用方法を説明すれば、電源供給線（３０７）を電源供給装置に連結した後、温度調節器（３０９）を介して適正温度に調節した後、両手で陶磁（３０１）の取手（３０３，３０４）部分を掴み、患部に当てると、指圧棒（３１０）が身体の該当経穴に接触して湿布と共に指圧をするようになる。
前記指圧棒（３１０）に超伝導体及び遠赤外線放射物質（３１１）が付着していて指圧棒（３１０）の発熱時間が短縮され、遠赤外線が大量に放出され治療効果を高める。
【００２４】
一方、本発明の温熱治療器（４００）は上述した通り温熱治療陶磁（３０１）を追加して構成し、図５乃至図１４での通り、蝶番（１）、タイミングベルト（２，２′）、温熱治療陶磁（３，４，１１０，１１０′，２１１，２１１′）、上部レール（１０ａ，１０ｂ）下部レール（１０′ａ，１０′ｂ）、レール（１１，２０６，２０６′）、ネジ孔（１２，１４，１３３，１３３′）、ネジ（１３，１３７，１３８，２０４，２１０）、通孔（１０５，１０６，１３９，２０５）、屈曲レール板（１５）、移動本体（１００，１００′）、本体（１０１）、締結溝（１０２）、ネジ溝（１０３，２０２，２０９）、ヒンジ（１０４，１０４′）、締結部（１０７，１１２）、リンク台（１０８，１０８′）、ローラ（１０９，１０９′，１１３，２０１）、突起（１１１）、ブラケット（２００）、Ｔ型溝（２０３）、Ｔ溝条（２０８）、第１張力調節装置（１３０）、第２張力調節装置（１３０′）、下部張力調節板（１３１）、上部張力調節板（１３２）、ベルト締結溝（１３４）、固定溝（１３５）、移動通孔（１３６）、上部固定板（１４０）、張力調節ネジ（１４１）、上部本体（Ａ）、下部本体（Ｂ）、コントロールボックス（Ｃ，Ｃ′）、コントロール上板（Ｄ，Ｄ′）、モータ（Ｅ，Ｅ′）、プーリ（Ｆ，Ｆ′）、上部移動体（Ｇ）、下部移動体（Ｈ）、張力調節機（Ｉ）を示す。
【００２５】
前記温熱治療器の構成は、収容空間が形成された上・下部本体（Ａ，Ｂ）と；前記上・下部本体（Ａ，Ｂ）が当接する側部の一側に形成され各構成要素等を制御するコントロールボックス（Ｃ，Ｃ′）と；前記コントロールボックス（Ｃ，Ｃ′）の上部に蝶板（１）で連結された開閉式“コ”状の板構造に形成され、Ａ／Ｓを容易ならしめるコントロール上板（Ｄ，Ｄ′）と；前記上・下部本体（Ａ，Ｂ）の下部中央の一側に形成されたモータ（Ｅ，Ｅ′）と；前記モータ（Ｅ，Ｅ′）と対向する側部に形成されたプーリ（Ｆ，Ｆ′）と；前記モータ（Ｅ，Ｅ′）とプーリ（Ｆ，Ｆ′）間に患者の脊椎部位に対応するように両側に設置される上・下部レール（１０ａ，１０ｂ，１０′Ａ，１０′Ｂ）と；前記モータ（Ｅ，Ｅ′）とプーリ（Ｆ，Ｆ′）に直結され前記両側の上・下部レール（１０ａ，１０ｂ，１０′Ａ，１０′Ｂ）間の中央に位置する下部に突起が形成されたタイミングベルト（２，２′）と；
前記タイミングベルト（２，２′）と結合され、前記上・下部レール（１０ａ，１０ｂ，１０′ａ，１０′ｂ）に配される複数個の温熱治療陶磁（１１０，１１０′，２１１，２１１′）が形成された上・下部移動体（Ｇ，Ｈ）と；前記上・下部本体（Ａ）に形成され、前記上部レール（１０ａ，１０ｂ）の左右側に形成され患者の両腕を指圧温熱治療する温熱治療陶磁（３，４）とで構成される。さらに、上部レール（１０ａ，１０ｂ）は上部に複数個のネジ孔（１２）が形成されたレール（１１）と；前記レール（１１）の上部にネジ（１３）で結合される複数個のネジ孔（１４）が形成され一定間隔で構成された複数個の着脱式屈曲レール板（１５）で構成される。
【００２６】
さらに、前記上部移動体（Ｇ）は中央に形成された張力調節器（Ｉ）が内蔵された移動本体（１００）と；前記移動本体（１００）に形成された２対のリンク台（１０８，１０８′）の一側に形成された締結部（１０７）に結着される一側面の上側方向に突起（１１１）が形成された締結部（１１２）と；両側面に１対のローラ（１１３）が形成された温熱治療陶磁（１００，１００′）で構成される。
前記移動本体（１００）は上部中央に一字状の締結溝（１０２）と１対のネジ溝（１０３）が形成された四角形状の本体（１０１）と；前記本体の締結溝（１０２）の上部に結合されタイミングベルト（２）の張力を調節する張力調節器（Ｉ）と；前記本体（１０１）の両側面に形成された２対のヒンジ（１０４，１０４′）と；前記ヒンジ（１０４，１０４′）に挿入され、両側の端部に通孔（１０５）（１０６）を有する締結部（１０７）が構成されたリンク台（１０８，１０８′）と；前記ヒンジ（１０４，１０４′）に結合され、前記リンク台（１０８，１０８′）の外側に形成されるローラ（１０９，１０９′）で構成される。さらに、前記張力調節器（Ｉ）は第１張力調節装置（１３０）とそれと対向する反対側部に形成されながら第１張力調節装置（１３０）と同一な形態の構造で形成された第２張力調節装置（１３０′）と；前記第１張力調節装置（１３０）と第２張力調節装置（１３０′）に形成されたネジ孔（１３３，１３３′）に結合され張力を調節する張力調節ネジ（１４１）で構成される。
【００２７】
前記第１張力調節装置（１３０）は、四角形状の本体（１０１）上部の中央の一側に結合される下部張力調節板（１３１）と；前記下部張力調節板（１３１）の一側に上側方向に突出された張力調節のためのネジ孔（１３３）が形成された上部張力調節板（１３２）と；前記下部張力調節板（１３１）の外側部中央に形成され、タイミングベルト（２）を結着するベルト締結溝（１３４）と；前記ベルト締結溝（１３４）の両側部に形成された複数個の固定溝（１３５）と；前記固定溝（１３５）と隣合い、前記本体（１０１）に形成された１対のネジ溝（１０３）に対応し、ネジ（１３７）で結合される一字状の移動通孔（１３６）と；前記固定溝（１３５）の上部にネジ（１３８）で結合される、複数個の通孔（１３９）が形成されたタイミングベルト（２）の離脱防止用上部固定板（１４０）で構成される。
さらに、前記第１張力調節装置（１３０）と第２張力調節装置（１３０′）に形成されたネジ孔（１３３，１３３′）に結合された張力調節ネジ（１４１）を締め又は緩めることにより、第１、２張力調節装置（１３０，１３０′）の下部張力調節板（１３１，１３１′）は左右に移動してタイミングベルト（２）の張力が調節される。
【００２８】
引き続き、本発明の下部移動体（Ｈ）は、上部移動体（Ｇ）の移動本体（１００）と同一な構造の移動本体（１００′）と；前記移動本体（１００′）のリンク台（１０８）に形成された締結部（１０７）に結合される上側面部が上側方向に一定の長さ程突出した長方形状のブラケット（２００）と；前記ブラケット（２００）の下側面に形成された１対のローラ（２０１）と；前記ブラケット（２００）の上部面の両側部に一字状の配列で形成され、複数個のネジ溝（２０２）と；前記ネジ溝（２０２）の上部に結合されＴ型溝（２０３）を形成し、前記ネジ溝（２０２）にネジ（２０４）で結合される通孔（２０５）が形成された“Ｌ”状のレール（２０６，２０６′）と；前記レール（２０６，２０６′）間に形成されたＴ型溝（２０３）に挿入され、締結される中央部に一字状の配列により複数個の通孔（２０７）が形成されたＴ溝条（２０８）と；前記Ｔ溝条（２０８）の上部に形成され、前記通孔（２０７）に対応するように複数個のネジ溝（２０９）が形成されネジ（２１０）で結合される温熱治療陶磁（２１１）で構成される。
【００２９】
さらに、本発明はモータの駆動により直線往復運動する一つの移動体に複数個の温熱治療陶磁を配する構成にして、タイミングベルト（２）と結合された移動本体（１００）はモータ（Ｅ）（図３参照）の駆動により、上部レール（１１）に乗り直線往復運動を行い、前記移動本体（１００）のリンク台（１０８，１０８′）に回転自在に結合された温熱治療陶磁（１１０，１１０′）が、屈曲レール板（１５）に乗り、昇下降することにより、移動本体（１００）に結合された温熱治療陶磁（１１０，１１０′）が直線運動を行い、昇下降して患者の脊椎経穴部位を指圧、湿布するようになる。
さらに、前記下部本体（Ｂ）に形成された下部移動体（Ｈ）の動作過程は前記上部本体（Ａ）の移動本体（１００）のようにタイミングベルト（２′）と結合された移動本体（１００′）はモータ（Ｅ′）の駆動により、下部レール（１０′ａ，１０′ｂ）に乗り直線往復運動を行い前記移動本体（１００′）のリンク台（１０８）により、回転自在に結合されたブラケット（２００）の上部に形成されたＴ型溝（２０３）を形成したレール（２０６，２０６′）に結着された温熱治療陶磁（２１１，２１１′）が患者の下体の動きにより左右に移動する。
【００３０】
この際、前記モータ（Ｅ′）により上下直線往復運動を行うと共に、患者の下体が動くにつれて温熱治療陶磁（２１１，２１１′）が左右に移動して患者の下体をより効果的に指圧、湿布をするものである。
さらに、前記上下部移動体（Ｇ，Ｈ）にそれぞれ設けられ温熱治療陶磁（１１０，１１０′，２１１，２１１′）は上部に超伝導体及び遠赤外線放射物質（３１１）が付着した複数個の指圧棒（３１０）が突出しており、身体（背中又は腹部）に完全に当接するように一定角度で上部に撓む曲線状で形成され、遠赤外線の放射効果を極大化しながら、陶磁と身体との密着度を高め治療効果を向上させるようにする。
さらに、前記上部レール（１０ａ，１０ｂ）の左右側に配される温熱治療陶磁（３，４）は、上部に超伝導体及び遠赤外線放射物質（３１１）が付着した複数個の指圧棒（３１０）が突出しており、身体（背中又は腹部）に完全に当接するように一定角度で上部に撓む曲線状で形成され、遠赤外線の放射効果を極大化しながら、陶磁と身体との密着度を高め治療効果を向上させるようにする。
【００３１】
【発明の効果】
以上説明の通り、本発明は上部レール（１０ａ，１０ｂ）の上部に形成された屈曲レール板（１５）を選択的に着脱自在に構成し、患者の体型及び患部に伴う指圧、温熱治療の強度調節が可能であり、モータ（Ｅ）の駆動によりレール（１１）と屈曲レール板（１５）に沿って直線運動し、昇下降する上部移動体（Ｇ）に結着された温熱治療陶磁（１１０，１１０′）の上昇高さを最小の嵩に最大に構成し、患者毎に相違する身体構造に伴う温熱湿布効果が減少する問題点を解決し、温熱治療陶磁（１１０，１１０′）の作動過程を円滑に成し、モータ（Ｅ）の駆動により下部レール（１０′ａ，１０′ｂ）に沿って直線運動する下部移動体（Ｈ）の上部に形成された一対の温熱治療陶磁（２１１，２１１′）を患者の下体が動くに従い、左右移動できるように構成し、下体の動きに伴う温熱治療効果の低下を防止し、コントロールボックス（Ｃ，Ｃ′）の上部に開閉式“コ”字状のコントロール上板（Ｄ，Ｄ′）を構成して故障した場合、上・下部本体（Ａ，Ｂ）の解体無しに容易に修理が成せる効果を得る。
【００３２】
前記のような本発明は使用者の患部を湿布すると共に、指圧をすることができる指圧棒（３１０）に超伝導体及び遠赤外線放射物質（３１１）が付着していて、指圧棒（３１０）の発熱時間が短縮され、遠赤外線が大量に放出され治療効果を高める。
さらに、陶磁（３０１）の構造が一定角度に撓む曲線状で構成され、身体の全部位に使用が可能であり、従来の装置では不可能な身体部位にも広範囲に使用が可能な効果がある。
本発明は特定の実施例に関連して図示・説明した通り、特許請求の範囲により提供される、本発明の精神又は分野を逸脱しない限度内で本発明の多様な改良及び変化を成し得るということを当業界で通常の知識を有する者は容易に解し得るということを明らかにするところである。
【図面の簡単な説明】
【図１】従来の温熱治療器を示した斜視図である。
【図２】従来の温熱治療器の設置状態を示した断面図である。
【図３】本発明の温熱治療器用治療陶磁を示した斜視図である。
【図４】（ａ）、（ｂ）はそれぞれ本発明の温熱治療用治療陶磁を示した平面図及び側面図である。
【図５】本発明に伴う温熱治療器を示した平面図である。
【図６】本発明に伴う温熱治療器を示した側面図である。
【図７】本発明に伴う上部レール（１０ａ）（１０ｂ）を示した側面図である。
【図８】本発明に伴う上部移動体（Ｇ）を示した斜視図である。
【図９】本発明に伴う張力調節機（Ｉ）を示した分解図である。
【図１０】本発明に伴う張力調節機（Ｉ）の設置状態を示した平面図である。
【図１１】本発明に伴う下部移動体（Ｈ）を示した斜視図である。
【図１２】本発明に伴う下部移動体（Ｈ）を示した分解図である。
【図１３】本発明に伴う上部移動体（Ｇ）の動作状態図である。
【図１４】本発明に伴う下部移動体（Ｈ）の動作状態図である。
【符号の説明】
１：蝶番
２，２′：タイミングベルト
３，４，１１０，１１０，２１１，２１１′：温熱治療陶磁
１０ａ，１０ｂ：上部レール
１０′ａ，１０′ｂ：下部レール
１１，２０６，２０６′：レール
１３，１３７，１３８，２０４，２１０：ネジ
１５：屈曲レール板
１０１：本体
１０３，２０２，２０９：ネジ溝
１０７，１１２：締結部
１０９，１０９′，１１３，２０１：ローラ
１２，１４，１３３，１３３′：ネジ孔
１０５，１０６，１３９，２０５：通孔
１００，１００′：移動本体
１０２：締結溝
１０４，１０４′：ヒンジ
１０８，１０８′：リンク台
【図１】
2004148097.tif 000003
【図２】
2004148097.tif 000004
【図３】
2004148097.tif 000005
【図４】
2004148097.tif 000006
【図５】
2004148097.tif 000007
【図６】
2004148097.tif 000008
【図７】
2004148097.tif 000009
【図８】
2004148097.tif 000010
【図９】
2004148097.tif 000011
【図１０】
2004148097.tif 000012
【図１１】
2004148097.tif 000013
【図１２】
2004148097.tif 000014
【図１３】
2004148097.tif 000015
【図１４】
2004148097.tif 000016